(57)【要約】【課題】ディスプレイ画面の焼き付けを防止し、固定的であることが望ましい文字情報などの画像データであっても見易く表示する。【解決手段】ディスプレイ３に画面表示される画像データの全体を、走査線方向で多数に分割し、人間の目の残像が残っている時間範囲内でこれを順次表示させるようにする。これにより、人間が見たディスプレイ３の画像データは、人間の目の残像によって分割された画像データが順次つながって一つになり、全体の画像データとなる。つまり、ディスプレイ３には画像データの全体が表示され続けているように人間の目には写る。ディスプレイ３の同一の位置で表示される画像データの表示時間は、分割した数で割った分だけの時間となり、画面の焼付を防止することが可能であり、画面上で残像が発生することもない。また画像データの表示位置自体は、固定的であるので、文字情報であっても見易いという利点がある。【選択図】  図１
2006163150.tif 000002
【特許請求の範囲】
【請求項１】
ディスプレイに画面表示される画像データを、走査線方向で多数に分割する手段と、これらの分割された各画像を人間の目の残像が残っている時間内に順次時間間隔をあけて画面表示する手段とより成り、残像効果により全体の画像データが表示されるようにしたことを特徴とするディスプレイ焼付防止装置。
【請求項２】
画像データの分割が所定の走査線の数ごとに区画して行われる請求項１に記載のディスプレイ焼付防止装置。
【請求項３】
画像データを走査線方向で多数に分割する手段と、これらの分割された各画像を順次時間間隔をあけて画面表示する手段とを、ドライバーの中へプログラムとして組み込んで構成した請求項１又は２に記載のディスプレイ焼付防止装置。
【発明の詳細な説明】
【技術分野】
【０００１】
本発明は、ブラウン管やプラズマディスプレイ表示装置（ＰＶＤ）等の画面焼き付けを防止するようにした装置に関するものである。
【背景技術】
【０００２】
ブラウン管、プラズマディスプレイ表示装置、自発光型液晶ディスプレイ等のように、ガラス体に熱を発生するディスプレイにあっては、ガラス面の焼き付けが問題となる。これは常に同様の表示を行うような表示を行った場合、常に同じ位置に表示される文字等の画像データが薄く焼き付けを起こし、残って陰になってしまうという特性がある。例えば、業務用として同一の文字、画像等の画像データを表示せざるを得ない場合は、非常に短い期間で画面の焼き付けが発生し、異なった画面に切り替わったときには焼けた文字等の画像データが表面に写り、非常に見苦しい状態になってしまうという欠点がある。
【０００３】
このようなディスプレイの焼き付けを防止する技術として特許文献１に記載された発明が公知である。この特許文献１の従来技術に記載されているように、静止画のような表示画面の同一位置に同一画像を長時間表示し続けると、画面の焼付が発生するので、通常は、画像データを表示画面内で移動させることで画面の焼き付けの防止を行っている。ところが、画像データを表示画面内で移動させるだけでは、移動によって移動前の表示フレーム内の領域と移動後の表示フレーム内の領域との間に、ブランキング（非表示）部分が生じ、このブランキング部分に焼き付けや残像が発生するという問題があった。すなわち、画像データの移動によって移動後の表示フレーム内の明るい部分と前記ブランキング部分の暗い部分との間に大きな輝度差が生じ、焼き付けや残像発生の原因になっていた。
【０００４】
そこで、特許文献１の発明では、画像データの表示位置を設定時間経過ごとに移動させると共に、移動画像データの表示サイズを拡大し、画像移動で生じたブランキング部分を画面表示領域に含めるようにすることで、表示画像の輝度差によって生じる焼き付け及び残像発生を防止するようにしている。
【特許文献１】特開２００３−２７１１２０号公報
【発明の開示】
【発明が解決しようとする課題】
【０００５】
ところが、特許文献１のように、表示している画像データを設定時間経過ごとに移動させると、文字情報等を表示している場合は画面が変化することによって非常に見づらいものになるという欠点があった。
【０００６】
本発明は従来の前記課題に鑑みてこれを改良除去したものであって、画像全体を走査線方向で多数に分割して人間の目の残像が残っている時間範囲内でこれを順次表示させることで、画面の焼き付けを防止し、固定的であることが望ましい文字情報などの画像データであっても見易く表示することのできる技術を提供せんとするものである。
【課題を解決するための手段】
【０００７】
而して、前記課題を解決するために本発明が採用した請求項１の手段は、ディスプレイに画面表示される画像データを、走査線方向で多数に分割する手段と、これらの分割された各画像を人間の目の残像が残っている時間内に順次時間間隔をあけて画面表示する手段とより成り、残像効果により全体の画像データが表示されるようにしたことを特徴とするディスプレイ焼付防止装置である。
【０００８】
本発明が採用した請求項２の手段は、画像データの分割が所定の走査線の数ごとに区画して行われる請求項１に記載のディスプレイ焼付防止装置である。
【０００９】
本発明が採用した請求項３の手段は、画像データを走査線方向で多数に分割する手段と、これらの分割された各画像を順次時間間隔をあけて画面表示する手段とを、ドライバーの中へプログラムとして組み込んで構成した請求項１又は２に記載のディスプレイ焼付防止装置である。
【発明の効果】
【００１０】
請求項１の発明にあっては、ディスプレイに画面表示される画像データの全体を、走査線方向で多数に分割し、人間の目の残像が残っている時間範囲内でこれを順次表示させるようにしている。これにより、人間が見たディスプレイの画像データは、人間の目の残像によって分割された画像データが順次つながって一つになり、全体の画像データとなる。つまり、ディスプレイには画像データの全体が表示され続けているように人間の目には写っている。一方、ディスプレイにあっては、画面の同一の位置で表示される画像データの表示時間は、分割した数で割った分だけの時間となり、画面の焼付を防止することが可能であり、画面上で残像が発生することもない。また画像データの表示位置自体は変わることがなく、固定的であるので、文字情報であっても見易いという利点がある。
【００１１】
請求項２の発明にあっては、画像データの分割を所定数の走査線ごとに区画して行っており、大型の画面であってもハイビジョン放送等の走査線の数の多いディスプレイであっても対応が可能である。
【００１２】
請求項３の発明にあっては、画像データの分割及び分割した画像データの表示を経時的に順次行うことをソフトウエアのドライバーで行うことができ、ハードウエア機器が不要であり、その製作準備が容易であり、既存のディスプレイへ適用することもできる。
【発明を実施するための最良の形態】
【００１３】
以下に、本発明の構成を図面に示す発明の実施の形態に基づいて説明すると次の通りである。図１〜図３は本発明の一実施の形態に係るディスプレイの画面を示すものであり、図１の図（Ａ）及び図（Ｂ）は画面を走査線方向に分割した場合を示す図面、図２はディスプレイ焼付防止装置１を含むシステムの全体構成を示す図面、図３は画面表示制御装置２の構成を示す図面である。図２に示す如く、プラズマディスプレイパネル（以下は、単にディスプレイという）３は、画面表示制御装置２によって画面へ表示される画像データが制御されるようになっている。また画面表示制御装置２は、通常のパソコン等であり、ＬＡＮ又はＷＡＮ等のネットワークを通じて表示管理サーバー装置４及びインターネット等へ接続されている。
【００１４】
画面表示装置２は、図３に示すように、一つのパソコンであり、パソコン内には中央演算処理装置（ＣＰＵ）５及び表示出力部６を備えたハードウエア７と、焼付防止表示プログラム及び表示デバイスドライバー等のソフトウエア９とが組み込まれている。ソフトウエア９は、前記ハードウエア７の内蔵機器によって各種のメディアに書き込まれた表示指示データや画像データ８等を読み取るか又はインターネット等の外部から入力された表示指示データや画像データ８等を処理・加工し、前記表示出力部６を通じてディスプレイ３へ出力するものである。ハードウエア７に内蔵された機器とは、ＦＤ（フロッピィーディスク）やＣＤ（コンパクトディスク）或いはＤＶＤ（デジタルビデオディスク）等の一般的な各種のメディアに対して読み書き可能なハードウエア機器をいう。
【００１５】
前記ソフトウエア９は、図１の図（Ａ）及び図（Ｂ）に示すように、外部又は内部から入力された表示指示データや画像データ８等の全体を、ディスプレイ３の走査線方向で多数に分割している。分割は、所定数の走査線ごとに区画して行っている。そして、分割した画像データを、表示出力部６を介してディスプレイ３へ出力し、人間の目の残像が残っている時間範囲内でこれを順次表示させるようにしている。これにより、人間が見たディスプレイ３の画像データは、人間の目の残像によって分割された画像データが順次つながって一つになり、全体の画像データとなる。つまり、ディスプレイ３には画像データの全体が表示され続けているように人間の目には写ることになる。
【００１６】
プラズマディスプレイの場合、ドットマトリックス方式を原理として表示をしているため、電源波長に依存して画面が点滅していることになる。つまり、６０Ｈｚ地域の関西では、１画像表示に０．０１６秒の表示時間となる（１秒／６０＝０．０１６）。因みに、５０Ｈｚ地域の関東地区では、１秒／５０＝０．０２秒の表示時間である。人間の目に残像として残る時間は、個人差はあるが、およそ０．１秒を越える時間である。従って、０．１秒を越える画像は認識され、残像として残るので、残像として認識する時間を越えて画像を切り換えることで、残像画像と現在表示している画像が１枚の画像として認識されることになる。例えば、画像の切換時間を関西地区ではおよそ６／６０秒、関東地区では５／５０秒で表示するようにすれば、分割された各画像の全体を一つの画像として認識することが可能である。一方、分割された各画像の表示時間が長くなるとチラついて見えたり、一つ一つの画像として認識されるので最大でも０．５秒程度で各画像は消滅するようにその表示時間を設定しておくことが必要である。そして、これらの画像表示方式を繰り返して行うようにすれば、ディスプレイ３の焼付を防止した上で、画像全体を一つの画像として認識させることが可能である。なお、図１の図（Ａ）と、図（Ｂ）とは図面上では同じように見えるけれども、図（Ａ）の状態から前記時間経過後の画像データを表示しているのが図（Ｂ）の状態である。
【００１７】
このように画像データを走査線方向で分割して順次これを表示すると、ディスプレイ３の同一の位置で表示される画像データの表示時間は、一区画における分割した走査線の数で割った分だけの時間となる。つまり、「１／分割した走査線の数」の分だけ従来の場合よりも、画面上の同一の位置における連続した表示時間が短くなり、画面の焼付を防止することが可能である。また画面上で残像が発生することもない。更に、画像データの表示位置自体は変わることがなく、固定的であるので、文字情報であっても見易いという利点がある。更にまた、画像データの分割を所定数の走査線ごとに区画して行っており、大型の画面やハイビジョン放送等の走査線の数の多いディスプレイ３であっても対応が可能である。それに加えて、画像データの分割及び分割した画像データの経時的な表示を、ソフトウエア９のドライバーで行っているため、ハードウエア機器が不要であり、ディスプレイ焼付防止装置の製作準備が容易であり、既存のディスプレイ３へ後付けで適用することが可能である。
【図面の簡単な説明】
【００１８】
【図１】本発明の一実施の形態に係るものであり、図（Ａ）及び図（Ｂ）は画面を走査線方向に分割した場合を示すディスプレイの表面図である。
【図２】本発明の一実施の形態に係るものであり、ディスプレイ焼付防止装置を含むシステムの全体構成を示す図面である。
【図３】本発明の一実施の形態に係るものであり、画面表示制御装置の構成を示す図面である。
【符号の説明】
【００１９】
１…ディスプレイ焼付防止装置、２…画面表示制御装置、３…ディスプレイ、４…表示管理サーバー、５…中央演算処理装置（ＣＰＵ）、６…表示出力部、７…ハードウエア、８…表示指示データ・画像データ、９…ソフトウエア（焼付防止表示プログラム・表示デバイスドライバー等）
【図１】
2006163150.tif 000003
【図２】
2006163150.tif 000004
【図３】
2006163150.tif 000005